【事件の表示】
　特願２００５−１３４８９４「メモリ装置のリフレッシュ方法」拒絶査定不服審判事件〔平成１８年６月８日出願公開、特開２００６−１４７１２３〕について、次のとおり審決する。
【結　論】
　本件審判の請求は、成り立たない。
【理　由】
第１．手続の経緯
　本願は、平成１７年５月６日（パリ条約に基づく優先権主張　２００４年１１月１５日、大韓民国）の特許出願であって、平成２０年１１月２５日付けの拒絶理由通知に対して平成２１年３月３日に意見書及び手続補正書が提出され、同年４月２４日付けの最後の拒絶理由通知に対して、同年８月２６日に意見書及び手続補正書が提出されたが、同年１０月２１日付けで同年８月２６日に提出された手続補正書による補正が却下されるとともに、同日付けで拒絶査定がなされた。
　それに対して、平成２２年３月１日に拒絶査定不服審判が請求されるとともに、手続補正書が提出され、その後同年９月２１日付けで審尋がなされ、同年１２月２７日に回答書が提出された。
　
第２．補正の適否について
１．補正の内容
　平成２２年３月１日に提出された手続補正書による補正（以下「本件補正」という。）は、補正前の特許請求の範囲（平成２１年３月３日に提出された手続補正書により補正された特許請求の範囲）の請求項１〜３を、補正後の特許請求の範囲の請求項１〜３と補正するとともに、補正前の明細書の００１９段落、００２０段落、００３７段落、００４０段落及び００４８段落の補正を行うものであり、補正前後の請求項１は各々次のとおりである。
　
（補正前）
　「【請求項１】
　Ｎ個のバンクを有するメモリ装置において、
　前記Ｎ個のバンクをすべてリフレッシュする場合には、前記Ｎ個のバンクを順次リフレッシュするパイルドリフレッシュ動作を実行し、前記Ｎ個のバンクのうち、ｉ個（１≦ｉ≦Ｎ−１）のバンクをリフレッシュする場合には、パーシャルアレイセルフリフレッシュ（ＰＡＳＲ）方式によって特定されたバンクに対してバーストリフレッシュ動作を実行するリフレッシュ方法であって、
　（ａ）リフレッシュコマンドを受信するステップと、
　（ｂ）該リフレッシュコマンドによって、リフレッシュされるＮ個のバンクのうち、第１バンクを選択する信号を生成するステップと、
　（ｃ）前記リフレッシュコマンド及びパーシャルアレイセルフリフレッシュ（ＰＡＳＲ）コードを受信して、前記Ｎ個のバンクに対して、パイルドリフレッシュ動作を実行するか、またはＰＡＳＲ方式によるバーストリフレッシュ動作を実行するかを判別する信号を生成するステップと、
　（ｄ）前記ステップ（ｂ）及び（ｃ）における出力信号を受信して、リフレッシュされる前記第１バンクのアドレス信号を生成するステップと、
　（ｅ）前記第１バンクのアドレス信号によって指定された前記第１バンクをリフレッシュするリフレッシュ信号を生成するステップと、
　（ｆ）前記ステップ（ｅ）で生成された前記リフレッシュ信号によってリフレッシュ動作を実行するステップとを含み、
　前記ステップ（ｃ）において前記パイルドリフレッシュ動作を判別する信号が生成された場合には、前記ステップ（ｂ）、（ｄ）、（ｅ）及び（ｆ）を反復して実行し、
　前記ステップ（ｃ）において前記バーストリフレッシュ動作を判別する信号が生成された場合には、リフレッシュされるバンクがすべて選択されるまで、前記ステップ（ｂ）、（ｄ）及び（ｅ）を反復して実行した後、前記ステップ（ｆ）を実行することを特徴とするメモリ装置のリフレッシュ方法。」
　
（補正後）
　「【請求項１】
　Ｎ個のバンクを有するメモリ装置において、
　前記Ｎ個のバンクをすべてリフレッシュするパーシャルアレイセルフリフレッシュ（ＰＡＳＲ）コードが印加された場合には、前記Ｎ個のバンクを順次リフレッシュするパイルドリフレッシュ動作を実行し、前記Ｎ個のバンクのうち、ｉ個（１≦ｉ≦Ｎ−１）のバンクをリフレッシュするＰＡＳＲコードが印加された場合には、ＰＡＳＲコードによって特定されたバンクに対してバーストリフレッシュ動作を実行するリフレッシュ方法であって、
　（ａ）リフレッシュコマンドを受信し、該リフレッシュコマンドによって、リフレッシュされるＮ個のバンクのうち、第１バンクを選択する信号を生成するステップと、
　（ｂ）バンクをリフレッシュするリフレッシュ信号を受信し、リフレッシュされるＮ個のバンクのうち、次のバンクを選択する信号を生成するステップと、
　（ｃ）前記リフレッシュコマンド及びＰＡＳＲコードを受信して、前記Ｎ個のバンクに対してパイルドリフレッシュ動作を実行するか、または前記ｉ個のバンクに対してバーストリフレッシュ動作を実行するかを判別する信号を生成するステップと、
　（ｄ）前記ステップ（ａ）、（ｂ）及び（ｃ）における出力信号を受信して、次にリフレッシュされるバンクのアドレス信号を生成するステップと、
　（ｅ）前記リフレッシュされるバンクのアドレス信号によって指定されたバンクをリフレッシュするリフレッシュ信号を生成するステップと、
　（ｆ）前記ステップ（ｅ）で生成された前記リフレッシュ信号によってリフレッシュ動作を実行するステップとを含み、
　前記ステップ（ｃ）において前記パイルドリフレッシュ動作を判別する信号が生成された場合には、前記ステップ（ｂ）、（ｄ）、（ｅ）及び（ｆ）を反復して実行し、
　前記ステップ（ｃ）において前記バーストリフレッシュ動作を判別する信号が生成された場合には、リフレッシュされるバンクがすべて選択されるまで、前記ステップ（ｂ）、（ｄ）及び（ｅ）を反復して実行した後、前記ステップ（ｆ）を実行することを特徴とするメモリ装置のリフレッシュ方法。」
　
２．補正事項の整理
（１）補正事項１
　補正前の請求項１の「前記Ｎ個のバンクをすべてリフレッシュする場合には、前記Ｎ個のバンクを順次リフレッシュするパイルドリフレッシュ動作を実行し、前記Ｎ個のバンクのうち、ｉ個（１≦ｉ≦Ｎ−１）のバンクをリフレッシュする場合には、パーシャルアレイセルフリフレッシュ（ＰＡＳＲ）方式によって特定されたバンクに対してバーストリフレッシュ動作を実行するリフレッシュ方法であって」を、補正後の請求項１の「前記Ｎ個のバンクをすべてリフレッシュするパーシャルアレイセルフリフレッシュ（ＰＡＳＲ）コードが印加された場合には、前記Ｎ個のバンクを順次リフレッシュするパイルドリフレッシュ動作を実行し、前記Ｎ個のバンクのうち、ｉ個（１≦ｉ≦Ｎ−１）のバンクをリフレッシュするＰＡＳＲコードが印加された場合には、ＰＡＳＲコードによって特定されたバンクに対してバーストリフレッシュ動作を実行するリフレッシュ方法であって」と補正すること）。
　
（２）補正事項２
　補正前の請求項１の「（ａ）リフレッシュコマンドを受信するステップと、　（ｂ）該リフレッシュコマンドによって、リフレッシュされるＮ個のバンクのうち、第１バンクを選択する信号を生成するステップ」を、補正後の請求項１の「（ａ）リフレッシュコマンドを受信し、該リフレッシュコマンドによって、リフレッシュされるＮ個のバンクのうち、第１バンクを選択する信号を生成するステップと、　（ｂ）バンクをリフレッシュするリフレッシュ信号を受信し、リフレッシュされるＮ個のバンクのうち、次のバンクを選択する信号を生成するステップ」と補正すること。
　
（３）補正事項３
　補正前の請求項１の「（ｃ）前記リフレッシュコマンド及びパーシャルアレイセルフリフレッシュ（ＰＡＳＲ）コードを受信して、前記Ｎ個のバンクに対して、パイルドリフレッシュ動作を実行するか、またはＰＡＳＲ方式によるバーストリフレッシュ動作を実行するかを判別する信号を生成するステップ」を、補正後の請求項１の「（ｃ）前記リフレッシュコマンド及びＰＡＳＲコードを受信して、前記Ｎ個のバンクに対してパイルドリフレッシュ動作を実行するか、または前記ｉ個のバンクに対してバーストリフレッシュ動作を実行するかを判別する信号を生成するステップ」と補正すること。
　
（４）補正事項４
　補正前の請求項１の「（ｄ）前記ステップ（ｂ）及び（ｃ）における出力信号を受信して、リフレッシュされる前記第１バンクのアドレス信号を生成するステップ」を、補正後の請求項１の「（ｄ）前記ステップ（ａ）、（ｂ）及び（ｃ）における出力信号を受信して、次にリフレッシュされるバンクのアドレス信号を生成するステップ」と補正すること。
　
（５）補正事項５
　補正前の請求項１の「（ｅ）前記第１バンクのアドレス信号によって指定された前記第１バンクをリフレッシュするリフレッシュ信号を生成するステップ」を、補正後の請求項１の「（ｅ）前記リフレッシュされるバンクのアドレス信号によって指定されたバンクをリフレッシュするリフレッシュ信号を生成するステップ」と補正すること。
　
（６）補正事項６
　補正前の請求項３の「セルフリフレッシュモードでは、前記Ｎ個のバンクすべてをリフレッシュする場合には、前記Ｎ個のバンクを順次リフレッシュするパイルドリフレッシュ動作を実行し、前記Ｎ個のバンクのうち、ｉ個（１≦ｉ≦Ｎ−１）のバンクをリフレッシュする場合には、パーシャルアレイセルフリフレッシュ（ＰＡＳＲ）方式によって特定されたバンクに対してバーストリフレッシュ動作を実行し、　オートリフレッシュモードでは、前記パイルドリフレッシュ動作を実行するリフレッシュ方法であって」を、補正後の請求項３の「セルフリフレッシュモードでは、前記Ｎ個のバンクすべてをリフレッシュするパーシャルアレイセルフリフレッシュ（ＰＡＳＲ）コードが印加された場合には、前記Ｎ個のバンクを順次リフレッシュするパイルドリフレッシュ動作を実行し、前記Ｎ個のバンクのうち、ｉ個（１≦ｉ≦Ｎ−１）のバンクをリフレッシュするＰＡＳＲコードが印加された場合には、ＰＡＳＲコードによって特定されたバンクに対してバーストリフレッシュ動作を実行し、　オートリフレッシュモードでは、前記パイルドリフレッシュ動作を実行するリフレッシュ方法であって」と補正すること。
　
（７）補正事項７
　補正前の請求項３の「（ａ）リフレッシュコマンドを受信するステップと、　（ｂ）該リフレッシュコマンドによって、リフレッシュされるＮ個のバンクのうち、第１バンクを選択する信号を生成するステップ」を、補正後の請求項３の「（ａ）リフレッシュコマンドを受信し、該リフレッシュコマンドによって、リフレッシュされるＮ個のバンクのうち、第１バンクを選択する信号を生成するステップと、　（ｂ）バンクをリフレッシュするリフレッシュ信号を受信し、リフレッシュされるＮ個のバンクのうち、次のバンクを選択する信号を生成するステップ」と補正すること。
　
（８）補正事項８
　補正前の請求項３の「（ｃ）前記リフレッシュコマンド及びパーシャルアレイセルフリフレッシュ（ＰＡＳＲ）コードを受信して、前記Ｎ個のバンクに対して、パイルドリフレッシュ動作を実行するか、またはＰＡＳＲ方式によるバーストリフレッシュ動作を実行するかを判別する信号を生成するステップ」を、補正後の請求項３の「（ｃ）前記リフレッシュコマンド及びＰＡＳＲコードを受信して、前記Ｎ個のバンクに対してパイルドリフレッシュ動作を実行するか、または前記ｉ個のバンクに対してバーストリフレッシュ動作を実行するかを判別する信号を生成するステップ」と補正すること。
　
（９）補正事項９
　補正前の請求項３の「（ｄ）前記ステップ（ｂ）及び（ｃ）における出力信号を受信して、リフレッシュされる前記第１バンクのアドレス信号を生成するステップ」を、補正後の請求項３の「（ｄ）前記ステップ（ａ）、（ｂ）及び（ｃ）における出力信号を受信して、次にリフレッシュされるバンクのアドレス信号を生成するステップ」と補正すること。
　
（１０）補正事項１０
　補正前の請求項３の「（ｅ）前記第１バンクのアドレス信号によって指定された前記第１バンクをリフレッシュするリフレッシュ信号を生成するステップ」を、補正後の請求項３の「（ｅ）前記リフレッシュされるバンクのアドレス信号によって指定されたバンクをリフレッシュするリフレッシュ信号を生成するステップ」と補正すること。
　
（１１）補正事項１１
　補正前の明細書の００１９段落、００２０段落、００３７段落、００４０段落及び００４８段落を、各々補正後の明細書の００１９段落、００２０段落、００３７段落、００４０段落及び００４８段落と補正すること。
　
３．補正の目的の適否、及び新規事項の追加の有無について
（１）補正事項１〜１０について
　補正事項１〜１０は、補正前の請求項１〜３における不明瞭な箇所を明瞭にするものであるから、特許法第１７条の２第４項（平成１８年法律第５５号改正附則第３条第１項によりなお従前の例によるとされる同法による改正前の特許法第１７条の２第４項をいう。以下同じ。）第４号に掲げる明瞭でない記載の釈明を目的とするものに該当する。
　したがって、補正事項１〜１０は、特許法第１７条の２第４項に規定する要件を満たす。
　また、補正事項１〜１０により補正された事項は、本願の願書に最初に添付した明細書（以下「当初明細書」という。）の００２３段落〜００３７段落等に記載されているものと認められるから、補正事項１〜１０は、本願の願書に最初に添付した明細書、特許請求の範囲又は図面（以下「当初明細書等」という。）のすべての記載を総合することにより導かれる技術的事項との関係において、新たな技術的事項を導入しないものである。
　したがって、補正事項１〜１０は、当初明細書等に記載された事項の範囲内においてなされたものであるから、特許法第１７条の２第３項（平成１８年法律第５５号改正附則第３条第１項によりなお従前の例によるとされる同法による改正前の特許法第１７条の２第３項をいう。以下同じ。）に規定する要件を満たす。
　
（２）補正事項１１について
　補正事項１１により補正された事項は、当初明細書の００２３段落〜００３７段落に記載されているものと認められるから、補正事項１１は当初明細書等に記載された事項の範囲内においてなされたものである。
　したがって、補正事項１１は、特許法第１７条の２第３項に規定する要件を満たす。
　
（３）補正の目的の適否、及び新規事項の追加の有無についてのまとめ
　以上のとおりであるから、本件補正は特許法第１７条の２第３項及び第４項に規定する要件を満たすものである。
　
４．補正の適否についてのむすび
　以上検討したとおり、本件補正は、特許法第１７条の２第３項及び第４項に規定する要件を満たすものであるから、適法になされたものである。
　
第３．特許法第３６条第６項第１号に規定する要件ついての検討。
　本願の特許請求の範囲の記載が特許法第３６条第６項第１号に規定する要件を満たすものであるか否かについて検討する。
　
１．本願発明
　上記第１．２．において検討したとおり、本件補正は適法になされたものであるから、本願の請求項１〜３に係る発明は、本件補正により補正された明細書、特許請求の範囲及び図面の記載からみて、特許請求の範囲の請求項１〜３に記載されている事項により特定されるとおりのものであり、そのうちの請求項１に係る発明（以下「本願発明」という。）は、請求項１に記載されている事項により特定される、上記第２．１．の「（補正後）」の箇所に記載したとおりのものである。
　
２．発明の詳細な説明に記載された事項
（１）本願の明細書の発明の詳細な説明（以下、単に「発明の詳細な説明」という。）には、本願発明について、特許請求の範囲の請求項１及び３をほぼそのまま書き写した００１９段落及び００２０段落を除き、図１〜５と共に次の記載がある（下線は当合議体が付加したものである。）。
　
ａ．「【０００１】
　
本発明は、メモリ装置のリフレッシュ方法に関し、特に、パイルドリフレッシュ(piled refresh)機能を有し、特定のバンクのみをリフレッシュすることができるパーシャルアレイセルフリフレッシュ（ＰＡＳＲ）方式を用いるメモリ装置のリフレッシュ方法に関する
　
ｂ．「【０００６】
　ＰＡＳＲ方式は、セルフリフレッシュモード時に消費する電力を減らすことを目的として提案された。この方式は、セルフリフレッシュモード時に、データが格納されている、リフレッシュする必要があるメモリセルのみをリフレッシュすることが可能であるように、メモリ装置の外部からメモリ装置に対して、リフレッシュ命令信号を印加する方式である。一般に、この方式は、外部システムが、メモリ装置に格納されているデータに関する情報を有している場合に適用可能である。
　【０００７】
　図１は、４個のバンク１００〜１０３で構成されたメモリセルアレイにおけるバンクベースのＰＡＳＲ方式を説明するためのメモリセルアレイのバンク構成を示す図及びＰＡＳＲコード（Ａ２、Ａ１、Ａ０）とリフレッシュバンクとの関係を表形式で示す図である。ここで、バンクベースのＰＡＳＲ方式とは、ＰＡＳＲコードによって特定されたバンクのみをリフレッシュするＰＡＳＲ方式を意味する。
　【０００８】
　例えば、図１に示した例では、バンク１０１と１０２に対してリフレッシュを実行し、バンク１００と１０３に関してはリフレッシュが実行されない。この動作は、アドレス信号Ａ２、Ａ１、Ａ０によって制御される。例えば、アドレス信号（Ａ２、Ａ１、Ａ０）が（０、０、０）の場合、４個のバンク１００〜１０３がすべてリフレッシュされ、アドレス信号（Ａ２、Ａ１、Ａ０）が（０、１、０）の場合、１個のバンク１００のみがリフレッシュされる。
　【０００９】
　このように、ＰＡＳＲ方式を用いる場合、特定のバンクのみを選択的にリフレッシュすることができるので、メモリ装置の待機電力、すなわち消費電力を減少させることができる。」
　
ｃ．「【００１０】
　図２は、ＤＤＲ　ＳＤＲＡＭに適用されるパイルドリフレッシュ方式を説明するための図であり、各バンクにおけるバンクアクティブ信号を示すタイミングチャートである。このパイルドリフレッシュ方式の場合には、下記のように、各バンクのリフレッシュ動作が、順次バンク毎に実行される。
　【００１１】
　図２に示したように、バンク１００（バンク＜０＞）に対してリフレッシュコマンドが印加された後、一定の時間間隔でバンク１０１（バンク＜１＞）に対してリフレッシュコマンドが印加される。同様に、バンク１０２（バンク＜２＞）、１０３（バンク＜３＞）も一定の時間を置いて、順にリフレッシュコマンドが印加され、それぞれリフレッシュされる。
　【００１２】
　このように、バンクを順次リフレッシュすることにより、すべてのバンクを同時にリフレッシュする場合に比べ、消費電力（最大消費電力）を減少させることができる。
　【００１３】
　上記のように、従来のＤＤＲ　ＳＤＲＡＭでは、最大消費電力を減らすために、図２を用いて説明したパイルドリフレッシュ方式が採用されている。しかし、現在、ＪＥＤＥＣ標準では、次世代ＤＤＲ　ＳＤＲＡＭに対して、図１を参照して説明したＰＡＳＲ方式を採用する計画である。
　【００１４】
　
そのため、パイルドリフレッシュ方式を採用しているＤＤＲ　ＳＤＲＡＭに関しては、どのようにＰＡＳＲ方式を適用するかが問題になっている
　
ｄ．「【発明の開示】
【発明が解決しようとする課題】
　【００１５】
　
本発明は、上記問題点を解決するために提案されたものであり、パイルドリフレッシュ方式を用いる半導体メモリ装置に適用することができる、リフレッシュ動作時の電力消費量が少ないリフレッシュ方法を提供することを目的としている
　【００１６】
　
特に、パイルドリフレッシュ方式が採用されたＤＤＲ　ＳＤＲＡＭに対して、ＰＡＳＲ方式を適用するリフレッシュ方法を提供することを目的としている
　【００１７】
　また、本発明は、すべてのバンクに対するリフレッシュを要求するＰＡＳＲコードが印加された場合には、パイルドリフレッシュ方式によってリフレッシュ動作を実行し、特定のバンクのみに対してリフレッシュを要求するＰＡＳＲコードが印加された場合には、バーストリフレッシュ動作を実行する方法を提供する。
　【００１８】
　なお、本明細書では、バーストリフレッシュとは、ＰＡＳＲコードによって特定されたバンクに対して、同時にリフレッシュ動作を実行することを言う。」
　
ｅ．「【発明を実施するための最良の形態】
　【００２３】
　以下、図面を参照し、本発明に係る実施の形態を具体的に説明する。
　【００２４】
　
図３は、本発明の実施の形態に係るリフレッシュ方法を説明するためのブロック図である。内部バンクアドレスフラッグ信号発生部３０１は、リフレッシュモード時に、最初の内部バンクアドレスフラッグ信号ＩＮＴＡＸｐ０ｄを発生させる回路部である。
　【００２５】
　
したがって、内部バンクアドレスフラッグ信号発生部３０１は、信号ＡＲＥＦｐ６または信号ＮＥＷＲＥＱＵＥＳＴがイネーブルされると、最初の内部バンクアドレスフラッグ信号ＩＮＴＡＸｐ０ｄを生成する。説明上、内部バンクアドレスフラッグ信号発生部３０１からの最初の出力信号ＩＮＴＡＸｐ０ｄによってリフレッシュされるバンクを１番目のバンクとする
　
ｆ．「【００２６】
　
内部バンクアドレスフラッグ信号発生部３０２は、２番目のバンクの内部バンクアドレスフラッグ信号を生成する回路部である。内部バンクアドレスフラッグ信号発生部３０２は、信号ＡＲＥＦｐ６、ＮＥＷＲＥＱＵＥＳＴ、ＰＷＲＵＰ、ＲＡＳｔ１２＜０＞を受信する。ここで、ＰＷＲＵＰはパワーアップ信号であり、ＲＡＳｔ１２＜０＞はバンクアクティブ及びバンクプリチャージ信号発生部３０７からの出力信号のうちの一つである
　【００２７】
　後に説明するように、ＲＡＳｔ１２０:３は、何番目のバンクが、アクティブ状態であるか、プリチャージ状態であるかを示す信号である。例えば、ＲＡＳｔ１２１は、２番目のバンクがアクティブ状態であるか、プリチャージ状態であるかを示す信号である。ここで、２番目のバンクがアクティブ状態である場合、ＲＡＳｔ１２１は活性化される。一方に、２番目のバンクがプリチャージ状態である場合、ＲＡＳｔ１２１はディセーブルされる。
　【００２８】
　
内部バンクアドレスフラッグ信号発生部３０３、３０４の構成とその動作は、内部バンクアドレスフラッグ信号発生部３０２の場合と同じである。ただし、内部バンクアドレスフラッグ信号発生部３０３は、ＲＡＳｔ１２＜１＞を受信して、内部バンクアドレスフラッグ信号発生部３０４は、ＲＡＳｔ１２＜２＞を受信する
　
ｇ．「【００２９】
　
内部バンクアドレス信号発生部３０５は、内部バンクアドレスフラッグ信号発生部３０１〜３０４の出力信号ＩＮＴＡＸｐ０ｄ、ＩＮＴＡＸｐ１ｄ、ＩＮＴＡＸｐ２ｄ、ＩＮＴＡＸｐ３ｄを受信して、該当するバンクの内部アドレス信号ＩＮＴＡＸｐ＜０：３＞に変換する回路部である。ここで、内部バンクアドレス信号発生部３０５に印加される信号ＮＯＰＩＬＥＤは、パイルドリフレッシュ方式を適用するか可否を決定する信号である
　【００３０】
　
バーストリフレッシュ信号発生部３０６は、バーストリフレッシュ方式を適用するか、またはパイルドリフレッシュ方式を適用するかを決定する回路部である。
　【００３１】
　
バーストリフレッシュ信号発生部３０６からの出力信号ＮＯＰＩＬＥＤは、リフレッシュ方式を決定する信号である。信号ＮＯＰＩＬＥＤが非活性化状態の場合には、パイルドリフレッシュ動作を実行し、信号ＮＯＰＩＬＥＤが活性化状態の場合には、バーストリフレッシュ動作を実行する。例えば、一部のバンクのみをリフレッシュするＰＡＳＲコードが印加されると、信号ＮＯＰＩＬＥＤを活性化させてバーストリフレッシュ動作を実行する
　【００３２】
  
一方、すべてのバンクをリフレッシュするＰＡＳＲコードが印加されると、信号ＮＯＰＩＬＥＤを非活性化させて、パイルドリフレッシュ動作を実行する。
　
ｈ．「【００３５】
　
バンクアクティブ及びバンクプリチャージ信号発生部３０７の動作は、次のとおりである。最初の内部バンクアドレス信号ＩＮＴＡＸｐ＜０＞が、バンクアクティブ及びバンクプリチャージ信号発生部３０７に印加され、それに対応するバンクアクティブ信号ＲＡＣＴＶｐｂ１３＜０＞を生成する。バンクアクティブ信号ＲＡＣＴＶｐｂ１３＜０＞が生成されると、それに対応して信号ＲＡＳｔ１２＜０＞が生成される。信号ＲＡＳｔ１２＜０＞は、バンクアクティブ信号ＲＡＣＴＶｐｂ１３＜０＞がイネーブルされると活性化されて、バンクプリチャージ信号ＲＰＣＧｐｂ１３＜０＞が活性化されると、ディセーブルされる。信号ＲＡＳｔ１２＜０＞が活性化されると、１番目のバンクがリフレッシュされる
　
ｉ．「【００３６】
　
次に、信号ＲＡＳｔ１２＜０＞が、内部バンクアドレスフラッグ信号発生部３０２に印加されて、２番目のバンクアドレスフラッグ信号ＩＮＴＡＸｐ１ｄを生成する。信号ＩＮＴＡＸｐ１ｄは、内部バンクアドレス信号発生部３０５に印加されて、２番目のバンクアドレス信号ＩＮＴＡＸｐ＜０：３＞を生成する。信号ＩＮＴＡＸｐ＜０：３＞は、バンクアクティブ及びバンクプリチャージ信号発生部３０７に印加されて、２番目のバンクをリフレッシュさせる信号ＲＡＳｔ１２＜１＞を生成する。このような反復動作によって、それぞれのバンクを順次リフレッシュすることができる
　
ｊ．「【００３７】
　
一方、バーストリフレッシュ動作の場合には、信号ＲＡＳｔ１２
０:２
が、活性化されない状態で、内部バンクアドレスフラッグ信号発生部３０２〜３０４に印加される。次に、内部バンクアドレス信号発生部３０５が、信号ＩＮＴＡＸｐ＜０：３＞を同時にバンクアクティブ及びバンクプリチャージ信号発生部３０７に印加して、選択されたすべてのバンクを同時にリフレッシュさせる（図４参照）
　
ｋ．「【００３８】
　図４は、図３に示した内部バンクアドレス信号発生部３０５に係る一実施の形態を示す回路図であり、バーストリフレッシュの要否を制御する信号の具体的な役割を示している。
図４に示したように、１番目のバンクアドレスフラッグ信号ＩＮＴＡＸｐ０ｄは、信号ＮＯＰＩＬＥＤとは関係なく、１番目のバンクアドレス信号ＩＮＴＡＸｐ＜０＞を生成する
　【００３９】
　しかし、残りのバンクアドレス信号ＩＮＴＡＸｐ＜１：３＞は、信号ＮＯＰＩＬＥＤの制御を受ける。例えば、信号ＮＯＰＩＬＥＤがローレベルの場合には、それぞれの内部バンクアドレスフラッグ信号ＩＮＴＡＸｐ１ｄ、ＩＮＴＡＸｐ２ｄ、ＩＮＴＡＸｐ３ｄによって、内部バンクアドレス信号ＩＮＴＡＸｐ＜１＞、ＩＮＴＡＸｐ＜２＞、ＩＮＴＡＸｐ＜３＞が生成される。すでに説明したように、内部バンクアドレスフラッグ信号ＩＮＴＡＸｐ１ｄ、ＩＮＴＡＸｐ２ｄ、ＩＮＴＡＸｐ３ｄは順次発生するので、内部バンクアドレス信号ＩＮＴＡＸｐ＜１＞、ＩＮＴＡＸｐ＜２＞、ＩＮＴＡＸｐ＜３＞も順次生成される。すなわち、パイルドリフレッシュ動作を実行することが可能である。
　【００４０】
　
一方、信号ＮＯＰＩＬＥＤがハイレベルの場合には、それぞれの内部バンクアドレスフラッグ信号ＩＮＴＡＸｐ１ｄ、ＩＮＴＡＸｐ２ｄ、ＩＮＴＡＸｐ３ｄが無視される。この場合、内部バンクアドレス信号ＩＮＴＡＸｐ＜１＞、ＩＮＴＡＸｐ＜２＞、ＩＮＴＡＸｐ＜３＞は、１番目の内部バンクアドレスフラッグ信号ＩＮＴＡＸｐ０ｄによって決定される。そのために、内部バンクアドレス信号ＩＮＴＡＸｐ＜１＞、ＩＮＴＡＸｐ＜２＞及びＩＮＴＡＸｐ＜３＞は、同時に活性化される。その結果、信号ＮＯＰＩＬＥＤがハイレベルの場合には、選択されたすべてのバンクが同時にリフレッシュされることになる。すなわち、バーストリフレッシュ動作が実行される
　【００４１】
　
上記の説明で理解されるように、信号ＮＯＰＩＬＥＤの論理レベルを制御することによって、パイルドリフレッシュ動作を実行するか、またはバーストリフレッシュ動作を実行するかを決定することができる
　【００４２】
　図５は図３に示したバーストリフレッシュ信号発生部３０６に係る一実施の形態を示す回路図である。図５に示した回路は、信号ＰＡＳＲ　ＣＯＤＥ（Ａ２）、ＰＡＳＲ　ＣＯＤＥ（Ａ１）、ＰＡＳＲ　ＣＯＤＥ（Ａ０）を受信するノアゲート６０１と、ノアゲート６０１の出力信号と信号ＳＲＥＦを受信するナンドゲート６０２と、ナンドゲート６０２の出力信号を受信するインバータ６０３と、インバータ６０３の出力信号と信号ＴＲＥＦＡＬＬを受信するノアゲート６０４と、ノアゲート６０４の出力信号を受信するインバータ６０５とを備えている。インバータ６０５からの出力信号は、“ＮＯＰＩＬＥＤ”である。
　【００４３】
　図５から、信号ＳＲＥＦがハイレベルにイネーブルされるセルフリフレッシュモードの場合には、信号ＰＡＳＲ　ＣＯＤＥ（Ａ２）、ＰＡＳＲ　ＣＯＤＥ（Ａ１）及びＰＡＳＲ　ＣＯＤＥ（Ａ０）が有効であることが分かる。一方、オートリフレッシュモードの場合（すなわち、信号ＳＲＥＦがローレベルの場合）には、バーストリフレッシュテストモード信号ＴＲＥＦＡＬＬによって、リフレッシュモードが決定される。」
　
（２）以上の記載から、発明の詳細な説明に記載されているのは、「パイルドリフレッシュ方式を採用しているＤＤＲ　ＳＤＲＡＭに関しては、どのようにＰＡＳＲ方式を適用するかが問題になっている。」（００１４段落）という従来技術の問題点を解消するために、「パイルドリフレッシュ方式を用いる半導体メモリ装置に適用することができる、リフレッシュ動作時の電力消費量が少ないリフレッシュ方法を提供すること」（００１５段落）及び「特に、パイルドリフレッシュ方式が採用されたＤＤＲ　ＳＤＲＡＭに対して、ＰＡＳＲ方式を適用するリフレッシュ方法を提供すること」（００１６段落）を技術課題とする「パイルドリフレッシュ(piled refresh)機能を有し、特定のバンクのみをリフレッシュすることができるパーシャルアレイセルフリフレッシュ（ＰＡＳＲ）方式を用いるメモリ装置のリフレッシュ方法」（０００１段落）であって、次の構成を備えるものであると認められる。
　
（構成１）「内部バンクアドレスフラッグ信号発生部３０１は、リフレッシュモード時に、最初の内部バンクアドレスフラッグ信号ＩＮＴＡＸｐ０ｄを発生させる回路部である。ここで、信号ＡＲＥＦｐ６は、オートリフレッシュコマンドが印加された時イネーブルする信号であり、信号ＮＥＷＲＥＱＵＥＳＴは、セルフリフレッシュ開始後、一定の時間間隔で、周期的に生成される内部リフレッシュコマンドである。・・・したがって、内部バンクアドレスフラッグ信号発生部３０１は、信号ＡＲＥＦｐ６または信号ＮＥＷＲＥＱＵＥＳＴがイネーブルされると、最初の内部バンクアドレスフラッグ信号ＩＮＴＡＸｐ０ｄを生成する。説明上、内部バンクアドレスフラッグ信号発生部３０１からの最初の出力信号ＩＮＴＡＸｐ０ｄによってリフレッシュされるバンクを１番目のバンクとする。」（００２４段落〜００２５段落）
　
（構成２）「内部バンクアドレスフラッグ信号発生部３０２は、２番目のバンクの内部バンクアドレスフラッグ信号を生成する回路部である。内部バンクアドレスフラッグ信号発生部３０２は、信号ＡＲＥＦｐ６、ＮＥＷＲＥＱＵＥＳＴ、ＰＷＲＵＰ、ＲＡＳｔ１２＜０＞を受信する。ここで、ＰＷＲＵＰはパワーアップ信号であり、ＲＡＳｔ１２＜０＞はバンクアクティブ及びバンクプリチャージ信号発生部３０７からの出力信号のうちの一つである。・・・内部バンクアドレスフラッグ信号発生部３０３、３０４の構成とその動作は、内部バンクアドレスフラッグ信号発生部３０２の場合と同じである。ただし、内部バンクアドレスフラッグ信号発生部３０３は、ＲＡＳｔ１２＜１＞を受信して、内部バンクアドレスフラッグ信号発生部３０４は、ＲＡＳｔ１２＜２＞を受信する。」（００２６段落〜００２８段落）
　
（構成３）「内部バンクアドレス信号発生部３０５は、内部バンクアドレスフラッグ信号発生部３０１〜３０４の出力信号ＩＮＴＡＸｐ０ｄ、ＩＮＴＡＸｐ１ｄ、ＩＮＴＡＸｐ２ｄ、ＩＮＴＡＸｐ３ｄを受信して、該当するバンクの内部アドレス信号ＩＮＴＡＸｐ＜０：３＞に変換する回路部である。ここで、内部バンクアドレス信号発生部３０５に印加される信号ＮＯＰＩＬＥＤは、パイルドリフレッシュ方式を適用するか可否を決定する信号である。・・・バーストリフレッシュ信号発生部３０６は、バーストリフレッシュ方式を適用するか、またはパイルドリフレッシュ方式を適用するかを決定する回路部である。・・・バーストリフレッシュ信号発生部３０６からの出力信号ＮＯＰＩＬＥＤは、リフレッシュ方式を決定する信号である。信号ＮＯＰＩＬＥＤが非活性化状態の場合には、パイルドリフレッシュ動作を実行し、信号ＮＯＰＩＬＥＤが活性化状態の場合には、バーストリフレッシュ動作を実行する。例えば、一部のバンクのみをリフレッシュするＰＡＳＲコードが印加されると、信号ＮＯＰＩＬＥＤを活性化させてバーストリフレッシュ動作を実行する。・・・一方、すべてのバンクをリフレッシュするＰＡＳＲコードが印加されると、信号ＮＯＰＩＬＥＤを非活性化させて、パイルドリフレッシュ動作を実行する。」（００２９段落〜００３２段落）
　
（構成４）「バンクアクティブ及びバンクプリチャージ信号発生部３０７の動作は、次のとおりである。最初の内部バンクアドレス信号ＩＮＴＡＸｐ＜０＞が、バンクアクティブ及びバンクプリチャージ信号発生部３０７に印加され、それに対応するバンクアクティブ信号ＲＡＣＴＶｐｂ１３＜０＞を生成する。バンクアクティブ信号ＲＡＣＴＶｐｂ１３＜０＞が生成されると、それに対応して信号ＲＡＳｔ１２＜０＞が生成される。信号ＲＡＳｔ１２＜０＞は、バンクアクティブ信号ＲＡＣＴＶｐｂ１３＜０＞がイネーブルされると活性化されて、バンクプリチャージ信号ＲＰＣＧｐｂ１３＜０＞が活性化されると、ディセーブルされる。信号ＲＡＳｔ１２＜０＞が活性化されると、１番目のバンクがリフレッシュされる。」（００３５段落）
　
（構成５）「次に、信号ＲＡＳｔ１２＜０＞が、内部バンクアドレスフラッグ信号発生部３０２に印加されて、２番目のバンクアドレスフラッグ信号ＩＮＴＡＸｐ１ｄを生成する。信号ＩＮＴＡＸｐ１ｄは、内部バンクアドレス信号発生部３０５に印加されて、２番目のバンクアドレス信号ＩＮＴＡＸｐ＜０：３＞を生成する。信号ＩＮＴＡＸｐ＜０：３＞は、バンクアクティブ及びバンクプリチャージ信号発生部３０７に印加されて、２番目のバンクをリフレッシュさせる信号ＲＡＳｔ１２＜１＞を生成する。このような反復動作によって、それぞれのバンクを順次リフレッシュすることができる。」（００３６段落）
　
（構成６）「一方、バーストリフレッシュ動作の場合には、信号ＲＡＳｔ１２０:２が、活性化されない状態で、内部バンクアドレスフラッグ信号発生部３０２〜３０４に印加される。次に、内部バンクアドレス信号発生部３０５が、信号ＩＮＴＡＸｐ＜０：３＞を同時にバンクアクティブ及びバンクプリチャージ信号発生部３０７に印加して、選択されたすべてのバンクを同時にリフレッシュさせる（図４参照）。」（００３７段落）
　
３．本願発明が発明の詳細な説明に記載されたものであるか否かについて
（１）本願発明が、発明の詳細な説明に記載されたものであるか否かについて検討する。
　まず、本願発明における「Ｎ個のバンクを有するメモリ装置において、　前記Ｎ個のバンクをすべてリフレッシュするパーシャルアレイセルフリフレッシュ（ＰＡＳＲ）コードが印加された場合には、前記Ｎ個のバンクを順次リフレッシュするパイルドリフレッシュ動作を実行し、前記Ｎ個のバンクのうち、ｉ個（１≦ｉ≦Ｎ−１）のバンクをリフレッシュするＰＡＳＲコードが印加された場合には、ＰＡＳＲコードによって特定されたバンクに対してバーストリフレッシュ動作を実行するリフレッシュ方法であって」という部分の構成（本願発明の前提となる技術に係る構成）は、上記２．（２）（構成１）〜（構成６）全体に対応するものであるから、当該部分の構成は発明の詳細な説明に記載されているものと認められる。
　
（２）本願発明における「（ａ）リフレッシュコマンドを受信し、該リフレッシュコマンドによって、リフレッシュされるＮ個のバンクのうち、第１バンクを選択する信号を生成するステップ」という部分の構成は、発明の詳細な説明における上記２．（２）（構成１）に対応するものであるから、当該部分の構成は発明の詳細な説明に記載されているものと認められる。
　
（３）本願発明における「（ｂ）バンクをリフレッシュするリフレッシュ信号を受信し、リフレッシュされるＮ個のバンクのうち、次のバンクを選択する信号を生成するステップ」という部分の構成は、発明の詳細な説明における上記２．（２）（構成２）に対応するものであるから、当該部分の構成は発明の詳細な説明に記載されているものと認められる。
　
（４）本願発明における「（ｃ）前記リフレッシュコマンド及びＰＡＳＲコードを受信して、前記Ｎ個のバンクに対してパイルドリフレッシュ動作を実行するか、または前記ｉ個のバンクに対してバーストリフレッシュ動作を実行するかを判別する信号を生成するステップ」という部分の構成は、発明の詳細な説明における上記２．（２）（構成３）に対応するものであるから、当該部分の構成は発明の詳細な説明に記載されているものと認められる。
　
（５）本願発明における「（ｄ）前記ステップ（ａ）、（ｂ）及び（ｃ）における出力信号を受信して、次にリフレッシュされるバンクのアドレス信号を生成するステップと、　（ｅ）前記リフレッシュされるバンクのアドレス信号によって指定されたバンクをリフレッシュするリフレッシュ信号を生成するステップと、　（ｆ）前記ステップ（ｅ）で生成された前記リフレッシュ信号によってリフレッシュ動作を実行するステップ」という部分の構成は、発明の詳細な説明における上記２．（２）（構成４）に対応するものであるから、当該部分の構成は発明の詳細な説明に記載されているものと認められる。
　
（６）本願発明における「前記ステップ（ｃ）において前記パイルドリフレッシュ動作を判別する信号が生成された場合には、前記ステップ（ｂ）、（ｄ）、（ｅ）及び（ｆ）を反復して実行し」という部分の構成は、発明の詳細な説明における上記２．（２）（構成５）に対応するものであるから、当該部分の構成は発明の詳細な説明に記載されているものと認められる。
　
（７）本願発明における「前記ステップ（ｃ）において前記バーストリフレッシュ動作を判別する信号が生成された場合には、リフレッシュされるバンクがすべて選択されるまで、前記ステップ（ｂ）、（ｄ）及び（ｅ）を反復して実行した後、前記ステップ（ｆ）を実行する」という部分の構成は、上記２．（２）（構成１）〜（構成６）に記載した箇所を含め、発明の詳細な説明に対応する記載が存在しない。
　すなわち、本願発明の「前記ステップ（ｃ）において前記バーストリフレッシュ動作を判別する信号が生成された場合」に関連して発明の詳細な説明に記載されているのは、上記２．（２）（構成６）のとおり、「バーストリフレッシュ動作の場合には、信号ＲＡＳｔ１２０:２が、活性化されない状態で、内部バンクアドレスフラッグ信号発生部３０２〜３０４に印加される。次に、内部バンクアドレス信号発生部３０５が、信号ＩＮＴＡＸｐ＜０：３＞を同時にバンクアクティブ及びバンクプリチャージ信号発生部３０７に印加して、選択されたすべてのバンクを同時にリフレッシュさせる」という、本願発明の「（ａ）〜（ｆ）」に記載されたいずれのステップをも反復することなく、選択されたすべてのバンクを同時にリフレッシュするという構成であって、本願発明の「リフレッシュされるバンクがすべて選択されるまで、前記ステップ（ｂ）、（ｄ）及び（ｅ）を反復して実行した後、前記ステップ（ｆ）を実行する」という構成と明らかに矛盾するものであり、本願発明における「前記ステップ（ｃ）において前記バーストリフレッシュ動作を判別する信号が生成された場合には、リフレッシュされるバンクがすべて選択されるまで、前記ステップ（ｂ）、（ｄ）及び（ｅ）を反復して実行した後、前記ステップ（ｆ）を実行する」という部分の構成については、発明の詳細な説明に記載も示唆もなされていない。
　
（８）また、当業者の技術常識を勘案しつつ発明の詳細な説明の記載を精査しても、当業者が「前記ステップ（ｃ）において前記バーストリフレッシュ動作を判別する信号が生成された場合には、リフレッシュされるバンクがすべて選択されるまで、前記ステップ（ｂ）、（ｄ）及び（ｅ）を反復して実行した後、前記ステップ（ｆ）を実行する」という構成を認識できることを窺わせる記載は見いだせない。
　したがって、本願発明における「前記ステップ（ｃ）において前記バーストリフレッシュ動作を判別する信号が生成された場合には、リフレッシュされるバンクがすべて選択されるまで、前記ステップ（ｂ）、（ｄ）及び（ｅ）を反復して実行した後、前記ステップ（ｆ）を実行する」という部分の構成は、発明の詳細な説明に記載されたものとは認められない。
　
（９）以上検討したとおり、本願発明は、発明の詳細な説明に記載されていない構成を含むものであるから、発明の詳細な説明に記載されたものではないことは明らかである。
　
４．特許法第３６条第６項第１号に規定する要件ついてのまとめ
　本願の特許請求の範囲の記載は、特許を受けようとする発明が発明の詳細な説明に記載されたものではないから、特許法第３６条第６項第１号に規定する要件を満たしていない。
　
第４．むすび
　以上のとおりであるから、本願は拒絶をすべきものである。
　よって、結論のとおり審決する。